(57)【要約】気密包装ができ、開封が簡便な詰め替え構造を持つワンタッチ開封型コンパクトケースを提供する。【解決手段】本発明は各種形態の化粧品を気密に内蔵した下側本体部と上側カバー部が軸結合されたコンパクトケースに係り、より詳しくは下側本体部と上側カバー部が着脱可能に軸結合されて詰め替えができ、前記下側本体部は、内部に化粧品を内蔵した後、上部に切取り可能な切取板が設けられ、下部には底仕上げ板が設けられることにより、シーリング接合されて気密に遮断され、使用時に切取板を取っ手リングで引っぱってワンタッチで切り取って使うので、気密包装ができ、開封が簡便な詰め替え構造を持つワンタッチ開封型コンパクトケースに関する。【選択図】図４
2016536099.tif 000002
【特許請求の範囲】
【請求項１】
下側本体部と、カバー及びカバー内側のリッドからなる上側カバー部とが二分割形態に構成され、上下に結合され、前記下側本体部と上側カバー部の一側は軸結合され、他側はロック部によって固定又は解除されるようにして、上側カバー部が下側本体部の上部で開閉作動するように構成されたコンパクトケースであって、
前記上側カバー部はカバーとリッドの一側リブに形成された軸孔に軸ピンが挿設され、前記下側本体部の一側リブに下方に開放した軸溝が形成され、前記軸溝に軸ピンが着脱することによって軸結合又は分離されて詰め替えができるように構成され、
前記下側本体部は化粧品を内部の収納空間部に収納包装するように構成され、
前記収納空間部の上部は切取り可能になるように円形の切取線と上部の取っ手リングが形成された切取板によって気密に遮断され、前記収納空間部の下部は開放され、化粧品が収納空間部に収納された後、底仕上げ板がシーリング接合されて気密に遮断するように構成され、使用時に切取板を取っ手リングでワンタッチで引っぱって開封して使うように構成されたことを特徴とする、詰め替え構造を持つワンタッチ開封型コンパクトケース。
【請求項２】
前記軸ピンはスプリングピンであることを特徴とする、請求項１に記載の詰め替え構造を持つワンタッチ開封型コンパクトケース。
【請求項３】
前記リッドは、上部にパフを収納するためのパフ収納空間部の外側に通気部を持つことを特徴とする、請求項１に記載の詰め替え構造を持つワンタッチ開封型コンパクトケース。
【請求項４】
前記リッドの下部には環状の気密突条が突設され、下側本体部の上部に突設された環状の気密突条の内側と噛み合って気密に結合され、前記リッドの気密突条は外側に下向き傾斜面を持つことを特徴とする、請求項１に記載の詰め替え構造を持つワンタッチ開封型コンパクトケース。
【請求項５】
前記下側本体部の気密突条の外側底には環状溝が形成され、前記気密突条が内外側にテンション作動しながら気密に結合されることを特徴とする、請求項４に記載の詰め替え構造を持つワンタッチ開封型コンパクトケース。
【請求項６】
前記底仕上げ板の上面には下側本体部の収納空間部に収納包装される化粧品の遊動を防止するための遊動防止突起がさらに形成されることを特徴とする、請求項１に記載の詰め替え構造を持つワンタッチ開封型コンパクトケース。
【請求項７】
前記下側本体部の収納空間部に収納包装される化粧品は、パウダー、液状又は固状ファウンデーション、及び液状化粧液が含浸された多孔性パッドタイプのエアクッション化粧品のいずれか一つであることを特徴とする、請求項１に記載の詰め替え構造を持つワンタッチ開封型コンパクトケース。
【請求項８】
前記切取板の切取線は、収納空間部の上端内側に段部が設けられ、前記収納空間部に収納包装される化粧品がかかって外部に離脱できないように構成されることを特徴とする、請求項１に記載の詰め替え構造を持つワンタッチ開封型コンパクトケース。
【発明の詳細な説明】
【技術分野】
【０００１】
本発明は、各種形態の化粧品を気密に内蔵した下側本体部と上側カバー部が軸結合されたコンパクトケースに係り、より詳しくは、下側本体部と上側カバー部が着脱可能に軸結合されて詰め替えができ、前記下側本体部は、内部に化粧品を内蔵した後、上部に切取り可能な切取板が設けられ、下部には底仕上げ板が設けられることにより、シーリング接合されて気密に遮断され、使用時に切取板を取っ手リングで引っぱってワンタッチで切り取って使うので、気密包装ができ、開封が簡便な詰め替え構造を持つワンタッチ開封型コンパクトケースに関する。
【背景技術】
【０００２】
一般に、コンパクトは携帯用化粧道具である。
【０００３】
ケースの内部に主に粉末状又は固形状の化粧粉（Ｐｏｗｄｅｒ）のような化粧品が収納され、携帯して蓋の内周面に設けられた鏡を見ながらパフ（ｐｕｆｆ）で簡便に化粧するように構成されている。
【０００４】
このようなコンパクトは、比較的体積が小さくて携帯が容易な利点があり、さらに円形又は四角形などの多様な形態のデザインに製作され、その機能も多様に開発されている実情である。
【０００５】
しかし、従来提案されているコンパクトは、その効用性にもかかわらず、その用途が非常に制限的である。すなわち、粉末状の化粧品を主に収納して使用する用途にだけ制限されている実情なので、その利用価値が高くなる必要がある。
【０００６】
このような点に鑑み、近年コンパクトケースの内部に別の詰め替えケースを収納するようにし、前記詰め替えケースには、既存の化粧粉形態の化粧品を初めとして、担体、例えばスポンジやウレタンフォームのような多孔性パッドに液状化粧料が含浸されたタイプの化粧品、いわゆるエアクッションタイプの化粧品を収納して使うようにしたコンパクトタイプの化粧品容器が提案されている実情ではある。
【０００７】
しかし、従来提案されたコンパクトタイプの化粧品容器は、エアクッションタイプの化粧品を収納して使うためには、何よりも詰め替えケースを別に製作しなければならない。その構成を見れば、エアクッション化粧品の収納のための本体、前記本体にヒンジで連結されて開閉操作される蓋及び前記本体内に収納されたエアクッションタイプの化粧品が離脱することを防止するためのカバーリングとともに前記本体内に収納されるエアクッション化粧品を受ける収納トレーなど、少なくとも三つ以上の構造を備えている。
【０００８】
したがって、従来の場合、詰め替えケース構造が自然に複雑になるとともに、これを収納して使用するコンパクト構造もこれに合わせて製作されなければならない構造の複雑性を避けることができなく、このために製品の製作コストが過度に増加する問題があった。
【０００９】
また、詰め替えケースの本体に対する蓋のエアタイト組立のための多様な密閉構造が採用されているが、効果的な気密機能を付与することができないため、エアクッション化粧品の水分蒸発を防止することに限界があり、これに対する改善が急に要求されている実情である。
【先行技術文献】
【特許文献】
【００１０】
【特許文献１】韓国登録特許第１０−１３１８４６７号公報
【発明の概要】
【発明が解決しようとする課題】
【００１１】
したがって、本発明は前記のような従来の問題点を改善するためになされたもので、本発明は、各種形態の化粧品、例えばパウダー、液状又は固体ファンデーション、及び液状化粧液が含浸された多孔性パッドタイプに構成されるエアクッション化粧品などが内蔵される下側本体部と上側カバー部を着脱可能に軸結合することで、詰め替えて使うことができ、前記下側本体部は、内部に化粧品を内蔵した後、上部に切取り可能な切取板が設けられ、下部に底仕上げ板が設けられることにより、シーリング接合されて気密に遮断され、使用時に切取板を取っ手リングで引っぱってワンタッチで切り取って使うので、気密包装ができ、開封が簡便な詰め替え構造を持つワンタッチ開封型コンパクトケースを提供しようとする。
【課題を解決するための手段】
【００１２】
前記目的を達成するため、本発明の一面によると、下側本体部と、カバー及びカバー内側のリッドからなる上側カバー部とが二分割形態に構成され、上下に結合され、前記下側本体部と上側カバー部の一側は軸結合され、他側はロック部によって固定又は解除されるようにして、上側カバー部が下側本体部の上部で開閉作動するように構成されたコンパクトケースであって、前記上側カバー部はカバーとリッドの一側リブに形成された軸孔に軸ピンが挿設され、前記下側本体部の一側リブに下方に開放した軸溝が形成され、前記軸溝に軸ピンが着脱することによって軸結合又は分離されて詰め替えができるように構成され、前記下側本体部は化粧品を内部の収納空間部に収納包装するように構成され、前記収納空間部の上部は切取り可能になるように円形の切取線と上部の取っ手リングが形成された切取板によって気密に遮断され、前記収納空間部の下部は開放され、化粧品が収納空間部に収納された後、底仕上げ板がシーリング接合されて気密に遮断するように構成され、使用時に切取板を取っ手リングでワンタッチで引っぱって開封して使うように構成されたことを特徴とする、詰め替え構造を持つワンタッチ開封型コンパクトケースが提供される。
【００１３】
前記軸ピンはスプリングピンであってもよい。
【００１４】
前記リッドは、上部にパフを収納するためのパフ収納空間部の外側に通気部を持つことができる。
【００１５】
前記リッドの下部には環状の気密突条が突設され、下側本体部の上部に突設された環状の気密突条の内側と噛み合って気密に結合され、前記リッドの気密突条は外側に下向き傾斜面を持つことができる。
【００１６】
前記下側本体部の気密突条の外側底には環状溝が形成され、前記気密突条が内外側にテンション作動しながら気密に結合されることができる。
【００１７】
前記底仕上げ板の上面には下側本体部の収納空間部に収納包装される化粧品の遊動を防止するための遊動防止突起がさらに形成されることができる。
【００１８】
前記下側本体部の収納空間部に収納包装される化粧品は、パウダー、液状又は固状ファウンデーション、及び液状化粧液が含浸された多孔性パッドタイプのエアクッション化粧品のいずれか一つであってもよい。
【００１９】
前記切取板の切取線は、収納空間部の上端内側に段部が設けられ、前記収納空間部に収納包装される化粧品がかかって外部に離脱できないように構成されることができる。
【発明の効果】
【００２０】
前述した特徴を有する本発明によると、各種形態の化粧品を内蔵した下側本体部と上側カバー部を着脱可能に軸結合し、従来のように下側本体部に別に詰め替えケースを組立てる構造ではなくて、下側本体部全体入れ替えて使うことになるので、構造が簡単になるとともに詰め替えが簡便な効果を持つものである。
【００２１】
また、前記各種形態の化粧品が内蔵された下側本体部は、内部に化粧品を内蔵した後、上部に切取り可能な切取板が設けられ、下部に底仕上げ板が設けられることにより、シーリング接合されて気密に包装されるので、化粧品の変質を防止することになり、使用時に切取板を取っ手リングで引っぱってワンタッチで切り取って使うので、開封が簡便な効果を持つものである。
【００２２】
さらに、前記カバー部のリッドにパフを収納保管するとき、空気が円滑に通気されてかびや細菌の繁殖を防止するとともに、前記リッドと本体部の気密構造を確かに提供して化粧品の変質や化粧品の漏出などの問題を確かに防止する効果を持つものである。
【図面の簡単な説明】
【００２３】
【図１】本発明の外観を示す斜視図である。
【図２】図１の上側カバー部開放状態を示す斜視図である。
【図３】図１の線Ａ−Ａについての断面図である。
【図４】図１の線Ｂ−Ｂについての断面図である。
【図５】図３のＣ部の拡大図である。
【図６】本発明のカバー部の開放状態を示す断面図である。
【図７】本発明のカバー部の開放状態を示す平面図である。
【図８】本発明の分解状態を示す断面図である。
【図９】本発明の本体部から切取板を開封する作動状態を示す断面図である。
【発明を実施するための形態】
【００２４】
以下、添付図面に例として示された本発明の例示的実施例をより詳細に参照する。できるだけ、すべての図面及び説明において同一の参照符号は同一乃至類似の部分を指示する。
【００２５】
以下、本発明の例示的実施例を添付図面に基づいて詳細に説明する。
【００２６】
本発明による詰め替え構造を持つワンタッチ開封型コンパクトケース１００は、図１〜図８に示したように、下側本体部１０と、カバー２１及びカバーの内側のリッド２５を持つ上側カバー部２０とが二分割形態に構成され、上下に結合されてなるものである。
【００２７】
前記下側本体部１０と上側カバー部２０の一側は軸結合され、他側はロック部２によって固定又は解除されるようにして、上側カバー部２０が下側本体部１０の上部で開閉作動するように構成されている。
【００２８】
特に、前記上側カバー部２０は、カバー２１とリッド２５の一側リブ２２、２６に形成された軸孔２２ａ、２６ａに軸ピン５を挿設し、前記下側本体部１０の一側リブ１１に下方に開放した軸溝１１ａを形成し、前記軸溝１１ａに軸ピン５を着脱することにより、軸結合又は分離されて詰め替えできるように構成される。
【００２９】
この際、前記軸ピン５はスプリングピンからなり、離脱を防止するために下側本体部１０の軸溝１１ａに弾性的に挿入され、前記上側カバー部２０のリッド２５のリブ２６に形成された軸孔２６ａは上下に伸びた長孔状に形成されることで、リッドが上下に動きながら回転するように構成されることが好ましい。
【００３０】
前記下側本体部１０は各種形態の化粧品３０を内部の収納空間部１２に収納して包装するように構成され、前記収納空間部１２の上部は切取り可能になるように円形の切取線１３ａと上部の取っ手リング１３ｂが設けられた切取板１３によって気密に遮断される。
【００３１】
ここで、収納空間部１２に収納包装される各種形態の化粧品３０は多様な形態を持つことができる。好ましくは、パウダー、液状又は固状ファウンデーション、又は液状化粧液が含浸された多孔性パッドタイプのエアクッション化粧品などを例としてあげることができる。
【００３２】
前記切取板１３の切取線１３ａの部位は上下部に溝を形成して切取り可能な薄い厚さに形成されるので、前記切取板１３を取っ手リングでワンタッチで引っぱることで、簡単に開封して使えるように構成される。
【００３３】
特に、前記切取板１３の切取線１３ａは、収納空間部１２の上端内側に段部１２ａが設けられることで、前記収納空間部に収納包装される化粧品３０がかかって外部に離脱することができないように構成されることが非常に好ましい。
【００３４】
また、前記収納空間部１２の下部は開放され、化粧品３０を収納空間部１２に収納した後、底仕上げ板１４をシーリング接合して気密に遮断するように構成されている。この際、シーリング接合は超音波接合などの多様な方式が適用でき、前記下側本体部１０の収納空間部１２の下面にシーリング接合される底仕上げ板１４は、互いに接触する部分が全体的にシーリング接合されることにより、安定した気密状態が維持されるようにすることが好ましい。
【００３５】
そして、前記上側カバー部２０のカバー２１は内側面に鏡２３が付着されている。
【００３６】
前記リッド２５には、上部にパフ３を収納するためのパブ収納空間部２６と、前記パフ収納空間部２６の外側にパフ３が湿気によってかびや細菌が繁殖することを防止するために乾燥させるための通気部２７とが形成されている。
【００３７】
前記リッド２５の下部には環状の気密突条２８が突設され、下側本体部１０の上部に突設された環状の気密突条１８の内側と噛み合って気密に結合される。前記リッド２５の気密突条２８は外側に下向き傾斜面２８ａが形成され、前記下側本体部１０の気密突条１８の外側底には環状溝１９が形成され、気密突条が内外側にテンション状態で密着して気密に結合するように構成される。
【００３８】
すなわち、前記上側カバー部２０のカバー２１がリッド２５を押圧し、前記リッド２５が下側本体部１０の上面を押圧することによって気密構造を確保するので、化粧品３０の水分蒸発や漏液を防止することになる。
【００３９】
特に、多孔性パッドに液状化粧液が含浸されたエアクッションタイプの化粧品３０は、スポンジや発泡ウレタンフォームのような多孔性パッドに液状化粧液を前もって含浸したものを収納することもでき、あるいは収納空間部１２内で多孔性パッドに液状化粧液が含浸されるように収納して包装することもできる。
【００４０】
一方、本発明によると、前記底仕上げ板１４の上面には、下側本体部１０の収納空間部１２に収納包装される化粧品３０の意図せぬ回転や遊動を防止するための遊動防止突起１４ａがさらに形成されることが好ましい。
【００４１】
参照符号２ａ、２ｂはロック部２の係止突起をそれぞれ示すものである。
【００４２】
次に、前記のように構成された本発明の作動及び作用について説明する。
【００４３】
まず、本発明によるコンパクトケースの組立及び包装過程を説明すれば、下側本体部１０の内部の収納空間部１２に下部開放部位を通じて化粧品３０を収納する。
【００４４】
そして、前記下側本体部１０の下部に底仕上げ板１４を互いに一体的にシーリング接合して収納空間部１２を気密に遮断する。
【００４５】
このように、前記下側本体部１０の内部の収納空間部１２に化粧品３０を収納包装した後、上側カバー部２０と軸結合する。前記上側カバー部２０のカバー２１とリッド２５の一側に形成されたリブ２２、２６の軸孔２２ａ、２６ａにスプリングピン構造の軸ピン５を挿入した状態で、前記軸ピン５を下側本体部１０の一側リブ１１に形成された軸溝１１ａに挿入することによって軸結合することになる。
【００４６】
この際、前記軸ピン５はスプリングピンの構造に形成されるので、下側本体部１０の軸溝１１ａに弾性的に圧縮されて挿着されることで、軸ピン５が軸溝１１ａから離脱することを防止することになる。
【００４７】
このように、下側本体部１０と上側カバー部２０を軸結合することで、組立が完了することになる。
【００４８】
このようなコンパクトケースの化粧品を使おうとするときには、上側カバー部２０のロック部２を解除した後、軸ピン５を中心に回転させて開放することになる。
【００４９】
すなわち、前記上側カバー部２０のカバー２１と一緒にリッド２５を軸ピン５を中心に回転させて開放する。
【００５０】
この際、前記リッド２５の上部のパフ収納空間部２６に収納されたパフ３を取り出す。
【００５１】
このように、前記上側カバー部２０を開放した後、下側本体部１０の上部の切取板１３を切り取ることで、化粧品３０が内蔵された収納空間部１２を開放する。
【００５２】
すなわち、前記切取板１３の上部の取っ手リング１３ｂに指を入れて上方に持ち上げることにより、円形の切取線１３ａが切断されるので、切取板１３をワンタッチで簡単に切り取って除去することになる。
【００５３】
このように、切取板１３を除去した後、パフ３で収納空間部１２に収納された化粧品３０をつけて化粧することになる。
【００５４】
この際、収納空間部１２に収納された化粧品３０は、切取板１３が除去されても、収納空間部の内側に段部１２ａが設けられるように切取線１３ａが形成されているため、前記化粧品は段部１２ａにかかり、意図せぬ離脱が防止される。
【００５５】
このように使用した後、再び上側カバー部２０を覆って保管しようとする場合には、上側カバー部２０のリッド２５とカバー２１を順に軸ピン５を中心に元の位置に回転させることで、下側本体部１０の上部に結合した状態でロック部２によってロックすることになる。
【００５６】
この際、前記リッド２５の下部に突設された環状の気密突条２８が下側本体部１０の上部に突設された環状の気密突条１８の内側と噛み合って気密に結合される。
【００５７】
特に、前記リッドの下部の気密突条２８は、外側に下向き傾斜面２８ａが形成され、下側本体部１０の上部の気密突条１８の内側面を外側に押し出しながら密着する。前記下側本体部１０の上部の気密突条１８は外側底に形成された環状溝１９によって内外側にテンション状態で作動しながらリッドの下部の気密突条２８の下向き傾斜面２８ａともっと密着して気密に結合することになる。
【００５８】
すなわち、前記上側カバー部２０のカバー２１がリッド２５を押圧し、前記リッド２５が下側本体部１０の上面を押圧する。この際、前記リッド２５と下側本体部１０は気密突条１８、２８によって気密構造を確保するので、化粧品３０の水分蒸発や漏液を防止するように安全に保管することになる。
【００５９】
このようにして、前記下側本体部１０に内蔵された化粧品をすっかり消耗した場合には、詰め替え用のものに入れ替えて使うことになる。
【００６０】
詰め替えのために、上側カバー部２０のカバー２１とリッド２５の一側リブ２２、２６に軸結合されたスプリングピン構造の軸ピン５を下側本体部１０の一側リブ１１に形成された軸溝１１ａから強制に分離して、上側カバー部２０と下側本体部１０を分離する。
【００６１】
この状態で、上側カバー部２０を詰め替え用下側本体部に前述したように再び結合することにより、継続して再使用することができるようになる。
【００６２】
以上、本発明の好適な実施例を例示的に開始したが、当業者であれば添付の請求範囲に開示されたような本発明の範囲及び精神から逸脱することなしに多様な変形、追加及び代替ができることが理解可能であろう。
【図１】
2016536099.tif 000003
【図２】
2016536099.tif 000004
【図３】
2016536099.tif 000005
【図４】
2016536099.tif 000006
【図５】
2016536099.tif 000007
【図６】
2016536099.tif 000008
【図７】
2016536099.tif 000009
【図８】
2016536099.tif 000010
【図９】
2016536099.tif 000011
【国際調査報告】
2016536099.tif 000012
2016536099.tif 000013